【手続補正書】
【提出日】平成17年10月13日(2005.10.13)
【手続補正１】
【補正対象書類名】明細書
【補正対象項目名】請求項６
【補正方法】変更
【補正の内容】
【請求項６】  前記計量部は、前記貯留容器と連通する連通孔を具え、前記連通孔は前記計量部の内径よりも微小径であることを特徴とする請求項３ないし５のいずれかに記載の液体吐出装置。
【手続補正２】
【補正対象書類名】明細書
【補正対象項目名】請求項１０
【補正方法】変更
【補正の内容】
【請求項１０】  管状部を有し、前記管状部は外壁面と連通する気泡抜き孔を有するプランジャーロッドと、前記プランジャーロッドの先端に装着され、中心に前記プランジャーロッドの管状部と連通する連通孔を有し、外壁に計量部内壁面と密着するシール部を有する、プランジャーヘッドと、前記プランジャーロッドの管状部に挿入されるバルブロッドと、で構成され、前記バルブロッドの一端が加圧されると、前記バルブロッドの他端が前記プランジャーヘッドと密着することを特徴とするプランジャー。
【手続補正３】
【補正対象書類名】明細書
【補正対象項目名】０００７
【補正方法】変更
【補正の内容】
【０００７】
また、上記構成に加えて、前記貯留容器は、加圧手段により加圧されていること、前記プランジャーは、気泡抜き機構を有すること、前記計量部は、前記貯留容器と連通する連通孔を具え、前記連通孔は前記計量部の内径よりも微小径であること、前記ノズルの吐出口の内径は、前記計量部および前記第１のバルブの内径よりも小径であること、前記ノズル吐出口と、前記プランジャーの接液加圧面は、対向する面とすること、前記第１バルブと、前記第２のバルブと、前記加圧手段と、前記駆動手段と、を制御する制御装置を備えること、を選択的に付加したことを特徴にする。
【手続補正４】
【補正対象書類名】明細書
【補正対象項目名】０００８
【補正方法】変更
【補正の内容】
【０００８】
さらにまた、吐出装置の発明にあっては、管状部を有し、前記管状部は外壁面と連通する気泡抜き孔を有するプランジャーロッドと、前記プランジャーロッドの先端に装着され、中心に前記プランジャーロッドの管状部と連通する連通孔を有し、外壁に計量部内壁面と密着するシール部を有する、プランジャーヘッドと、前記プランジャーロッドの管状部に挿入されるバルブロッドと、で構成され、前記バルブロッドの一端が加圧されると、前記バルブロッドの他端が前記プランジャーヘッドと密着するプランジャーを特徴とする。
【手続補正５】
【補正対象書類名】明細書
【補正対象項目名】００１２
【補正方法】変更
【補正の内容】
【００１２】
本発明の吐出装置は、より詳細には、管形状の計量部と、前記計量部に内接するプランジャーと、前記プランジャーの位置を変位させる移動手段と、吐出口を具えるノズルと、前記計量部と前記ノズルとを連通する第１のバルブと、液材を貯留する貯留容器と、前記貯留容器と前記計量部とを連通する第２のバルブとで構成され、前記プランジャーの動作による液材の圧力変化を効率良くノズル先端まで伝播するためには、管内抵抗を少なくするために、第１のバルブの内径と前記計量部の内径を実質上等しくする。
なお、ここで実質上とは、プランジャーの移動により液材中を伝播する圧力により、ノズル先端より液滴を吐出し得る、バルブ部と計量部との内径差の範囲を定義するものであった、液滴を形成しかねる圧力損失を生じるバルブ部と計量部との内径差を含まない。
【手続補正６】
【補正対象書類名】明細書
【補正対象項目名】００１４
【補正方法】変更
【補正の内容】
【００１４】
前記計量部は、前記貯留容器と連通する連通孔を具え、前記連通孔は前記計量部の内径よりも微小径として、吐出動作における前記計量部内の圧力を前記貯留容器へ流入を最小限にして、吐出する圧力として損出することなく利用することが好ましい。
さらには、前記ノズルの吐出口の内径は、前記計量部の内径および前記吐出バルブ（第１のバルブ）の内径より小径とすることが好ましい。
【手続補正７】
【補正対象書類名】明細書
【補正対象項目名】００１５
【補正方法】変更
【補正の内容】
【００１５】
貯留容器から計量部に充填された液材には、気泡が混入されないことが好ましいので、前記気泡を計量部から外部に排出する機構をプランジャーが備える。
具体的には、前記プランジャーは、管状部を有し、前記管状部は外壁面と連通する気泡抜き孔を有するプランジャーロッドと、前記プランジャーロッドの先端に装着され、中心に前記プランジャーロッドの管状部と連通する連通孔を有し、外壁に計量部内壁面と密着するシール部を有するプランジャーヘッドと、前記プランジャーロッドの管状部に挿入されるバルブロッドと、で構成される。前記バルブロッドの一端が加圧されると、前記バルブロッドの他端が前記プランジャーヘッドと密着する。
【手続補正８】
【補正対象書類名】明細書
【補正対象項目名】００２１
【補正方法】変更
【補正の内容】
【００２１】
《貯留容器》
前記計量部１の中央部外壁には管が蝋接されており、前記計量部１の内径と比して極めて小径の孔１３で前記計量部１と前記管が連通している。
前記管の他端は貯留容器８と連通しており、前記管と前記貯留容器８との間に液材供給バルブ（第２のバルブ）１０が配設されている。ここで、液材供給バルブ（第２のバルブ）１０は、前記計量部１と前記貯留容器８とを連通する開位置、または閉止する閉位置、の二位置を取り、また、前記貯留容器８は、前記液材供給バルブ（第２のバルブ）１０と、前記貯留容器８と、の間に設けられた貯留容器接続具９により、装置から着脱可能である。
【手続補正９】
【補正対象書類名】明細書
【補正対象項目名】００２２
【補正方法】変更
【補正の内容】
【００２２】
《気泡抜き》
前記プランジャー２には、気泡抜き機構が設けられている。
すなわち、プランジャー２は、管状部を有し、前記管状部は外壁面と連通する気泡抜き孔２６を有するプランジャーロッド２１と、前記プランジャーロッド２１の先端に装着され、中心に前記プランジャーロッド２１の管状部と連通する気泡抜き孔２３を有し、外壁に計量部内壁面と密着するシール部２４を有するプランジャーヘッド２２と、前記プランジャーロッド２１の管状部に挿入されるバルブロッド２５とで構成される。
プランジャーロッド２１の上部は大径の筒部に形成されてさらに上端部にはフランジ部に形成されており、該フランジ部によってプランジャーロッド２１はプランジャー支持体３４に固定される。前記大径の筒部にはバルブロッド２５の上部の大径部が摺動可能に装着されており、プランジャー支持体３４に螺着した固定ネジ１１が当接しており、通常、バルブロッド２５は固定ネジ１１により一端が加圧されて、バルブロッド２５の他端がプランジャーヘッド２２と密着している。
【手続補正１０】
【補正対象書類名】明細書
【補正対象項目名】００２３
【補正方法】変更
【補正の内容】
【００２３】
《気泡抜きの作用》
前記固定ネジ１１を緩めると、前記バルブロッド２５は、プランジャーロッド２１の長さ方向に移動が可能となるため、前記バルブロッド２５が前記固定ネジ１１と当接するとき、バルブロッド２５とプランジャーヘッド２２とが離間してプランジャーヘッド２２に設けた気泡抜き孔２３を開放し、バルブロッド２５とプランジャーヘッド２２との間の空隙を介して、前記プランジャーロッド２１の気泡抜き孔２６とを連通して、外界と連通する。
従って、前記固定ネジ１１を緩めることで、プランジャーヘッド２２は、プランジャーロッド２１および気泡抜き孔２６を介して外部と連通可能であり、当該経路により、プランジャーロッド２１から外部へ気泡を排出する。
【手続補正１１】
【補正対象書類名】明細書
【補正対象項目名】００２５
【補正方法】変更
【補正の内容】
【００２５】
《液材充填》
液材が充填された貯留容器８を貯留容器接続具９に接続する。
このときプランジャー２は、前記孔１３をノズル側へ越えない前記孔１３に近接した位置まで進出している。
液材供給バルブ（第２のバルブ）１０を開位置にし、貯留容器８と計量部１を連通させ、前記プランジャー２を後退移動させると、前記貯留容器８内の液材は、前記液材供給バルブ（第２のバルブ）１０を通じて、前記計量部１内へ流入する。このとき、前記計量部１内には、前記貯留容器８と前記計量部１との間を満たす空気が充填され、その後に液材が流入する。
【手続補正１２】
【補正対象書類名】明細書
【補正対象項目名】００２６
【補正方法】変更
【補正の内容】
【００２６】
《気泡抜き》
上記行程において、計量部１内に流入した気体は、気体の圧縮性に伴って圧力応答が鈍くなるので除去する必要になる。
そこで、前記液材供給バルブ（第２のバルブ）１０を閉位置にし、前記固定ネジ１１を緩め、プランジャー２を進出移動させる。プランジャー２の構成部材であるプランジャーロッド２１は、駆動機構に連結されているから、前記駆動機構に連動して進出移動するが、バルブロッド２５は、前記プランジャーロッド２１と前記固定ネジ１１により連結固定されているから、前記固定ネジ１１を緩めることにより、駆動機構の進出動作しても、固定ネジ１１に当接してから進出することになり（バルブロッド２５は自由な状態にあり）、したがって、バルブロッド２５とプランジャーヘッド２２とが離間して、プランジャーヘッド２２と気泡抜き孔２６が連通する。
【手続補正１３】
【補正対象書類名】明細書
【補正対象項目名】００２７
【補正方法】変更
【補正の内容】
【００２７】
さらに、プランジャー２を進出移動させると、計量部１内の液材の圧力は上昇する。液体に比べ比重の軽い気体は上部に集まっているから、前記計量部１内の空気がプランジャーヘッド２２を通じて気泡抜き孔２６から外部へ空気が排出される。前記空気が全て排出された後、前記プランジャー２の固定ネジ１１を締め、前記バルブロッド２５先端と前記プランジャーヘッド２２とを密着させて、前記プランジャーヘッド２２と前記気泡抜き孔２６との連通を閉止して、気泡抜き作業を終了する。
なお、上記説明は、作業開始時における気泡抜きであるが、吐出作業中であっても計量部に気泡混入が認められる場合には、速やかに固定ネジ１１を緩め吐出バルブを閉めてプランジャーを前進させて気泡除去作業を行い、気泡除去作業の終了後固定ネジ１１を締め吐出バルブを開き、吐出作業を継続することができる。
【手続補正１４】
【補正対象書類名】明細書
【補正対象項目名】００３０
【補正方法】変更
【補正の内容】
【００３０】
プランジャー２が最下端まで移動した後には、吐出バルブ（第１のバルブ）４を閉位置にし、液材供給バルブ（第２のバルブ）１０を開位置にして、プランジャー２を後退移動して液材を供給する。このとき、貯留容器８に加圧手段を接続して、貯留容器８内の液材を加圧して計量部１への流入を促進することも可能である。
【手続補正１５】
【補正対象書類名】明細書
【補正対象項目名】００３１
【補正方法】変更
【補正の内容】
【００３１】
このように、適宜計量部１に液材を貯留容器８から吸入し、前記計量部１内の液材をノズル７より吐出し、を繰り返して吐出作業を行う。ところで、計量部１内に貯留した液材は、計量部１内の液材が無くなるまで複数回にわたって吐出することができるから、吐出すべきワークの大きさ等の作業性を考慮して、計量部１内に貯留する液材の量を適宜決めることができる。
【手続補正１６】
【補正対象書類名】明細書
【補正対象項目名】符号の説明
【補正方法】変更
【補正の内容】
【符号の説明】
１    計量部
２    プランジャー
３    モータ
４    吐出バルブ（第１のバルブ）
５    弁体
６    流路
７    ノズル
８    貯留容器
９    貯留容器接続具
１０  液材供給バルブ（第２のバルブ）
１１  固定ネジ
１３  孔
２１  プランジャーロッド
２２  プランジャーヘッド
２３  気泡抜き孔
２４  シール部
２５  バルブロッド
２６  気泡抜き孔
３１  枠体
３２  ネジ軸
３３  案内ロッド
３４  プランジャー支持体
【手続補正１７】
【補正対象書類名】図面
【補正対象項目名】全図
【補正方法】変更
【補正の内容】
【図１】
2003190871.tif 000001
【図２】
2003190871.tif 000002